(57)【要約】  【課題】  内枠の片下がり度合いが大きくても、内枠の開閉をスムーズにでき、かつ不正具の機器内部への侵入を防止できる遊技機を提供する。  【解決手段】  片下がりが生じた内枠１４を閉じる際に、垂れ下がった内枠１４の内枠下端部１４ｂの下面は、外枠下枠部材１３ｂの上面に固定された内枠滑り板２５の第１傾斜部３４および第２傾斜部３５上を順に摺動して徐々に上方にせり上がる。そして、第１平坦部３７および第２平坦部３８の平坦面に誘導される。したがって、内枠１４を常時スムーズに開閉できる。さらに、内枠滑り板２５において、固定片２６の一端部には、長手方向に直交する断面がカギ型形状を有する不正具返し部３０が設けられているので、内枠１４の内枠下端部１４ｂの下面と、外枠下枠部材１３ｂの上面との間にできる隙間から、ピアノ線などの不正具が侵入されるのを防止できる。【選択図】  図３
2005131191.tif 000002
【特許請求の範囲】
【請求項１】
上枠部材、下枠部材、左枠部材および右枠部材から略矩形状に形成され、遊技者と対向する前面側に遊技盤が着脱可能に取り付けられる内枠と、
当該内枠の左枠部材又は右枠部材を軸支して、前記内枠が開閉可能に取り付けられ、上枠部材、下枠部材、左枠部材および右枠部材から略矩形状に形成された外枠と、
当該外枠の下枠部材の上面に沿って、当接して固定される平面視略長方形状の固定板と、
当該固定板の上面に設けられ、前記固定板の、遊技者と対向する一端部側から、当該一端部側と対向する他端部側に向かって斜め上方に傾斜し、前記内枠の下面が摺動可能な傾斜部と、
当該傾斜部と、前記固定板の前記他端部との間に設けられ、前記内枠の下面が乗り上げ可能な平坦面を有する平坦部と、
前記固定板の前記他端部側より、前記固定板の上面に対して略垂直上方に立設された第一返し部と、
当該第一返し部の、前記固定板の前記他端部と対向する一端部側を遊技者側に折り返して形成された第二返し部と
を備えていることを特徴とする遊技機。
【請求項２】
前記固定板の前記一端部には、前記固定板の上面に対して、略垂直下方に突設されたフランジ部が設けられていることを特徴とする請求項１に記載の遊技機。
【請求項３】
前記傾斜部は、前記固定板の長手方向の両端部近傍の上面に各々設けられていることを特徴とする請求項１又は２に記載の遊技機。
【請求項４】
前記固定板には、前記外枠の下枠部材の上面に当接して固定されるための、固定穴が複数設けられていることを特徴とする請求項１乃至３の何れかに記載の遊技機。
【請求項５】
前記固定板の長手方向の両端部において、前記外枠の右枠部材および左枠部材に近接する部分は、切り欠き状に各々形成されていることを特徴とする請求項１乃至４の何れかに記載の遊技機。
【発明の詳細な説明】
【技術分野】
【０００１】
本発明は、遊技機に関し、詳細には、内枠の開閉を常時滑らかにすることができる遊技機に関するものである。
【背景技術】
【０００２】
従来、遊技機の一種であるパチンコ機では、パチンコ機の機器本体の外郭を構成する外枠の前面側の側端部に、内枠が開閉可能に軸支されている。この内枠には、遊技盤、各種制御基板、打球供給皿など、多くの部品が搭載されており、かなりの重量があるため、内枠が片方に垂れ下がる（以下、「片下がり」と呼ぶ。）ことが多い。そして、内枠に片下がりが生じると、内枠を閉じる際に、内枠の下端部が外枠の下端部に衝突して開閉を困難にする。そこで、例えば、内枠下端部の裏面側に、ローラーが組み込まれたスライダー装置を設け、内枠を閉じると、ローラーが外枠の下端部に設けられたストッパーに乗り上げることで、内枠をスムーズに閉塞できる遊技機が提案されている（例えば、特許文献１参照）。
【０００３】
また、特許文献１に記載の遊技機では、内枠の下端側と外枠の下端側との間に形成される隙間に、不正具（例えば、ピアノ線、セルロイドなど）を挿入されて、機器を不正に操作される恐れがあった。そのため、上述の機能を備えた遊技機であって、外枠の下枠部上面に幅方向に沿って壁状部材を設けた遊技機が提案されている（例えば、特許文献２参照）。この遊技機の壁状部材は、内枠の裏面下部に略当接し、外枠の下枠部上面と内枠下面との間に形成される隙間を塞いでいる。したがって、不正具の機器内部への侵入を防ぎ、不正操作を防止することができる。
【特許文献１】特開２００１−１２９２０５号公報
【特許文献２】特開２００３−２３０７２５号公報
【発明の開示】
【発明が解決しようとする課題】
【０００４】
しかしながら、特許文献１に記載の遊技機では、外枠の下端部にスライダー装置を設け、さらに内枠の下端部にストッパーを設けなければならないため、工数が増え、部品コストがかかるという問題点があった。また、内枠の荷重が、スライダー装置のローラーを支える軸にかかるため、軸に過大な負担がかかり、破損しやすいという問題点もあった。さらに、スライダー装置およびストッパーは、内枠が軸支されるヒンジ部から離れた位置に１つずつ設けられているため、内枠の片下がり度合いが大きい場合、内枠のローラーが、外枠のストッパーの上に乗り上げることができないという問題点もあった。
【０００５】
また、特許文献２に記載の遊技機では、壁状部材と内枠の裏面下部との隙間は、互いに当接して塞がれているが、壁上部材と内枠の裏面下部との間に隙間が少しでも形成された場合は、先端部が鋭利な形状を有する不正具ならば、その隙間から機器内に侵入することができるという問題点があった。さらに、内枠が外枠に対して勢いよく閉じられると、壁部材がその衝撃により変形してしまい、外枠と内枠との間に隙間が生じてしまうという問題点もあった。
【０００６】
本発明は、上述の課題を解決するためになされたものであり、内枠の片下がり度合いが大きくても、内枠の開閉をスムーズにでき、かつ不正具の機器内部への侵入を防止できる遊技機を提供することを目的とする。
【課題を解決するための手段】
【０００７】
上記目的を達成するために、請求項１に係る発明の遊技機では、上枠部材、下枠部材、左枠部材および右枠部材から略矩形状に形成され、遊技者と対向する前面側に遊技盤が着脱可能に取り付けられる内枠と、当該内枠の左枠部材又は右枠部材を軸支して、前記内枠が開閉可能に取り付けられ、上枠部材、下枠部材、左枠部材および右枠部材から略矩形状に形成された外枠と、当該外枠の下枠部材の上面に沿って、当接して固定される平面視略長方形状の固定板と、当該固定板の上面に設けられ、前記固定板の、遊技者と対向する一端部側から、当該一端部側と対向する他端部側に向かって斜め上方に傾斜し、前記内枠の下面が摺動可能な傾斜部と、当該傾斜部と、前記固定板の前記他端部との間に設けられ、前記内枠の下面が乗り上げ可能な平坦面を有する平坦部と、前記固定板の前記他端部側より、前記固定板の上面に対して略垂直上方に立設された第一返し部と、当該第一返し部の、前記固定板の前記他端部と対向する一端部側を遊技者側に折り返して形成された第二返し部とを備えている。
【０００８】
また、請求項２に係る発明の遊技機では、請求項１に記載の発明の構成に加えて、前記固定板の前記一端部には、前記固定板の上面に対して、略垂直下方に突設されたフランジ部が設けられていることを特徴とする。
【０００９】
また、請求項３に係る発明の遊技機では、請求項１又は２に記載の発明の構成に加えて、前記傾斜部は、前記固定板の長手方向の両端部近傍の上面に各々設けられていることを特徴とする。
【００１０】
また、請求項４に係る発明の遊技機では、請求項１乃至３の何れかに記載の発明の構成に加えて、前記固定板には、前記外枠の下枠部材の上面に当接して固定されるための、固定穴が複数設けられていることを特徴とする。
【００１１】
また、請求項５に係る発明の遊技機では、請求項１乃至４の何れかに記載の発明の構成に加えて、前記固定板の長手方向の両端部において、前記外枠の右枠部材および左枠部材に近接する部分は、切り欠き状に各々形成されていることを特徴とする。
【発明の効果】
【００１２】
請求項１に係る発明の遊技機では、外枠の下枠部材の上面に当接して固定された固定板の上面には、遊技者と対向する一端部から、当該一端部と対向する他端部側に向かって斜め上方に傾斜する傾斜部が設けられているので、内枠の下面がその傾斜部の上面を摺動する。したがって、内枠に搭載された各種装置により、内枠に片下がりが生じても、内枠の下面は、傾斜部上を摺動して、平坦部に乗り上げることができるので、常時、内枠を外枠に対してスムーズに閉じることができる。さらに、内枠の下面から差し込んだ不正具を機器内部に侵入させようとしても、不正具は、第一返し部によって上方に方向転換される。さらに、方向転換された不正具の先端部は、第二返し部によって遊技者側に折り返されるため、その不正具の機器内部への侵入が阻まれる。したがって、機器の不正操作を防止することができる。
【００１３】
また、請求項２に係る発明の遊技機では、請求項１に記載の発明の効果に加えて、固定片を外枠の下枠部材の上面に当接し、固定板の一端部から略垂直下方に突設されたフランジ部を、外枠の下枠部材の上面に位置する、外枠の下枠部材の長手方向に平行な稜線に係止させることにより、固定板の位置決めが容易となる。さらに、このフランジ部が、外枠の下枠部材の稜線に係止しているので、外枠の下枠部材の上面に固定された固定部材がズレないようにすることができる。
【００１４】
また、請求項３に係る発明の遊技機では、請求項１又は２に記載の発明の効果に加えて、傾斜部は、固定板の長手方向の両端部近傍の上面に各々設けられているので、内枠の片下がり度合いが大きくても、内枠の軸支される側の下面が、固定板の、内枠の軸支側に設けられた傾斜部に先に乗り上げる。次いで、固定板の、内枠の軸支側の傾斜部に乗り上げた内枠の軸支側の下面とは反対の開閉側の内枠の下面は、上方にやや持ち上がるので、内枠の開閉側に位置する傾斜部に乗り上げることができ、スムーズに内枠を閉じることができる。一方、内枠を開放する場合は、内枠の下面は、内枠の開閉側に位置する傾斜部を徐々に滑り降り、次いで、内枠の軸支側に位置する傾斜部を滑り降りる。そして、内枠の下面が、軸支側の傾斜部から離れることにより、内枠が外枠よりスムーズに開放される。したがって、内枠の軸支部分には、徐々に内枠自身の重みが加えられるため、内枠の軸支部分に負担がかからず、内枠の開放動作をスムーズに行うことができる。
【００１５】
また、請求項４に係る発明の遊技機では、請求項１乃至３の何れかに記載の発明の効果に加えて、固定板を外枠の下枠部材の上面に沿って当接した後に、固定板に設けられた固定穴に固定具（ネジ）などで固定することにより、固定板を外枠の下枠部材の上面に固定することができる。さらに、固定穴は複数設けられているので、固定板を強固に固定することができる。
【００１６】
また、請求項５に係る発明の遊技機では、請求項１乃至４の何れかに記載の発明の効果に加えて、固定板の長手方向の両端部において、外枠の右枠部材および左枠部材に近接する部分は、切り欠き状に形成されているので、外枠の下枠部材の上面の長手方向の両端部近傍まで、固定板を当接して固定しても、内枠の軸支される側の角部が接触するのを避けることができ、内枠のスムーズな開閉動作を妨げることがない。また、固定板を外枠の下枠部材の上面の長手方向両端部近傍まで、当接して固定することができるので、内枠を下方から支持する傾斜部を、内枠の下面の長手方向両端部近傍まで設けることができる。したがって、内枠の下面を安定した状態で、上方にせり上げさせることができ、内枠をスムーズに開閉することができる。
【発明を実施するための最良の形態】
【００１７】
以下、本発明を適用した遊技機の一実施の形態であるパチンコ機１について、図面を参照して説明する。なお、本発明の一実施の形態であるパチンコ機１は、内枠１４が自身の重みによって片方に垂れ下がった（以下、「片下がり」と呼ぶ。）場合でも、外枠１３の外枠下枠部材１３ｂの上面に固定された内枠滑り板２５によって、内枠１４を常時スムーズに開閉できることを目的とするものである。さらに、このパチンコ機１では、内枠１４の内枠下端部１４ｂの下面と、外枠下枠部材１３ｂの上面（枠内側面）との間にできる隙間から、不正具などが侵入されるのを防止することもできる。なお、以下の説明において、図１および図２の紙面手前側をパチンコ機１の遊技者に対向する前面側とし、紙面の裏面側をパチンコ機１の裏面側とする。さらに、図３も同様に、図３の紙面手前側を、外枠１３の遊技者に対向する前面側とし、紙面裏面側を外枠１３の裏面側とする。
【００１８】
はじめに、パチンコ機１の概略構成について説明する。図１は、本発明の一実施の形態であるパチンコ機１の正面図であり、図２は、内枠１４と、ガラス枠２２とを各々開放した状態を示すパチンコ機１の斜視図であり、図３は、内枠滑り板２５が、外枠１３の外枠下枠部材１３ｂの上面に当接して固定された状態を示す外枠下枠部材１３ｂ近傍の斜視図である。図１および図２に示すように、パチンコ機１は、ホールの島設備（図示外）に取り付けられる略矩形状の外枠１３を備え、当該外枠１３の遊技者に対向する前面側には、略矩形状の内枠１４が設けられている。そして、内枠１４の内枠左側端部１４ａは、上ヒンジ４５および下ヒンジ４６によって、外枠１３の外枠左枠部材１３ｃ近傍に開閉可能に軸支されている。さらに、内枠１４の上半分には、略矩形状の窓部が形成され、当該窓部には、正面視略円形状のガラス板２３を略中央に保持するガラス枠２２が設けられている。そして、ガラス枠２２のガラス枠左側端部２２ａは、内枠１４の窓部の内枠左側端部１４ａに開閉可能に軸支されている。
【００１９】
そして、図２に示すように、このような内枠１４の、内枠右側端部１４ｃの裏面側の長手方向の上端部近傍および下端部近傍（図２に示す上方側および下方側）には、カギ状に形成され、下方向に移動可能なカギ部５０，５１が外枠１３の前面側に向かって各々凸設されている。さらに、外枠右枠部材１３ｄの枠内側面の長手方向の上端部および下端部近傍には、カギ状に形成され、外枠左枠部材１３ｃに向かって係止部５３，５４が各々凸設されている。そして、内枠１４が外枠１３の前面側に向かって閉じられる際に、カギ部５０は係止部５３に係止され、カギ部５１は係止部５４に係止される。そして、内枠１４が外枠１３に閉じられた状態で、内枠１４は外枠１３に確実にロックされる。さらに、内枠右側端部１４ｃの、ガラス枠２２の下端部近傍には、ロック解除カギ穴５６が設けられている（図１および図２参照）。このロック解除カギ穴５６には、図示外のカギが挿入され、挿入されたカギを右側に所定角度回転させると、係止されていたカギ部５０，５１が下方向に移動し、係止部５３，５４から外れることにより、内枠１４のロックが解除される。
【００２０】
また、内枠１４の内枠右側端部１４ｃの前面側（遊技者に対向する側）の長手方向の略中央部よりやや上方側にも、カギ状に形成され、下方向に移動可能なカギ部５５が、遊技者側に向かって凸設されている。そして、このカギ部５５に対向するガラス枠２２のガラス枠右側端部２２ｂの裏面側の略中央部には、図示外の係止部が設けられている。そして、ガラス枠２２が、内枠１４に向かって閉じられ、カギ部５５が、ガラス枠２２の係止部に係止されることにより、ガラス枠２２が内枠１４に閉じられた状態で確実にロックされる。さらに、ロック解除カギ穴５６に挿入されたカギを、左側に所定角度回転させると、係止されていたカギ部５５が下方に移動し、ガラス枠２２の係止部（図示外）から外れることにより、ガラス枠２２のロックが解除される。
【００２１】
一方、図１および図２に示すように、内枠１４の前面側の上半分に設けられた窓部には、発射ハンドル７の操作により、図示外の発射装置から発射された遊技媒体としての遊技球が流下する略正方形状の遊技盤２が保持されている。そして、遊技盤２の遊技者が対向する前面側には、前述したガラス枠２２に保持されたガラス板２３が位置するようになっている。したがって、遊技盤２の前面側は、ガラス板２３によって保護されている。また、遊技盤２の固定ピンの調整時および盤面の清掃時などの場合には、図２に示すように、ガラス枠２２のガラス枠右側端部２２ｂを手前側に引いて開くことにより、内枠１４に固定された遊技盤２が外部に露出され、直接作業が行えるようになっている。
【００２２】
さらに、図１および図２に示すように、内枠１４に軸支されたガラス枠２２の下方には、発射装置（図示外）に遊技球を供給し、かつ賞品球を受ける上皿５が設けられている。さらに、その上皿５の直下には賞品球を受ける下皿６が設けられ、下皿６の右横には遊技球の発射を調整する正面視略円形状の発射ハンドル７が設けられている。そして、下皿６の上方には、スピーカ４８が設けられている。
【００２３】
また、遊技盤２には、ガイドレール３で囲まれた正面視略円形状の遊技領域４が設けられており、発射ハンドル７を操作することにより発射された遊技球がガイドレール３に導かれて遊技領域４へ侵入し、遊技領域４内を流下するようになっている。また、遊技領域４の略中央には特別図柄表示部L１，L２，L３を備えた特別図柄表示装置８が設けられている。そして、特別図柄表示装置８の下部には特別図柄始動電動役物１５、その下方には大入賞口１６が設けられている。さらに、図２に示すように、大入賞口１６の下方には、いずれの入賞口にも入賞しなかった遊技球が回収されるアウト口８１が設けられている。
【００２４】
さらに、図１に示すように、この特別図柄表示装置８の左右上方には電飾風車９，１０が各々設けられている。また、特別図柄表示装置８の左側方には普通図柄始動ゲート１２が設けられている。そして、特別図柄始動電動役物１５の左右には普通入賞口１９，２０がそれぞれ設けられており、大入賞口１６の左右にも普通入賞口１７，１８がそれぞれ設けられている。
【００２５】
次に、外枠１３について、図１乃至３を参照して説明する。図３は、外枠下枠部材１３ｂの上面に、内枠滑り板２５が当接して固定された状態を示す外枠１３の外枠下枠部材１３ｂ近傍の斜視図である。図２および図３に示すように、外枠１３は、ホールの島設備（図示外）に取り付けられるパチンコ機１の外郭を構成する部材である。そして、前述したように、この外枠１３の前面側には、遊技盤２を保持する内枠１４が開閉可能に軸支される。この略長方形状の外枠１３は、外枠上枠部材１３ａ、外枠下枠部材１３ｂ（図３参照）、外枠左枠部材１３ｃおよび外枠右枠部材１３ｄの計４本の木製の角柱部材によって構成されている。なお、外枠下枠部材１３ｂは、他の３本の枠部材に比べてやや太く、厚みを有している。したがって、外枠下枠部材１３ｂは、他の３本の枠部材と比較しても高い強度を保持しており、外枠１３の土台となっている。
【００２６】
また、図１乃至図３に示すように、外枠下枠部材１３ｂの前面（遊技者に対向する面）には、樹脂で形成された黒色の薄板状の化粧板２１が覆設されている。そして、図３に示すように、外枠下枠部材１３ｂの上面（枠内側面）には、本発明の要部である内枠滑り板２５が当接して固定されている。さらに、外枠１３の外枠下枠部材１３ｂの上面には、内枠滑り板２５が固定されるための４つの外枠側固定穴（図示外）が、外枠下枠部材１３ｂの長手方向に沿って等間隔に設けられている。
【００２７】
なお、内枠１４も、外枠１３と同様に、図示しない４本の角柱部材によって略矩形状に枠組みが構成され、図１および図２に示すように、その枠組みの上半分に遊技盤２，ガラス枠２２などが設けられ、ガラス枠２２よりも下半分には、上皿５，下皿６，発射ハンドル７およびスピーカ４８などが設けられている。
【００２８】
次に、本発明の要部である内枠滑り板２５について、図３乃至図６を参照して説明する。図４は、内枠滑り板２５の斜視図であり、図５は、内枠滑り板２５の平面図であり、図６は、図５のＡ−Ａ’線における内枠滑り板２５の内枠滑り板２５の断面図である。
【００２９】
はじめに、内枠滑り板２５の構成について説明する。図３乃至図５に示すように、内枠滑り板２５は、外枠１３の外枠下枠部材１３ｂの上面に当接して固定される平面視略長方形状の固定片２６と、当該固定片２６の長手方向の両端部近傍の上面に各々設けられ、固定片２６の長手方向に直交する方向、かつ遊技者に対向する一端部から他端部に向かう方向に斜め上方に傾斜する第１傾斜部３４および第２傾斜部３５と、当該第１傾斜部３４および第２傾斜部３５の他端部に各々連接し、当該他端部と同じ高さで平坦な面を各々形成する第１平坦部３７および第２平坦部３８と、固定片２６の、遊技者に対向する一端部側とは反対の他端部側に設けられ、長手方向に直交する断面がカギ型形状に形成された不正具返し部３０と、固定片２６の、遊技者に対向する一端部から、固定片２６の上面に対して略垂直下方にフランジ状に突設された位置決め片部３２とから構成されている。また、固定片２６の長手方向の両端部には、切り欠き状に形成された切り欠き部４０，４１が各々形成されている。そして、このような構成からなる内枠滑り板２５は、摺動性（滑りやすさ）が高く、かつ硬度が高い合成樹脂などにより一体成形されている。
【００３０】
次に、固定片２６について説明する。この固定片２６は、平面視略長方形状の板状部材であり、内枠滑り板２５を、外枠１３の外枠下枠部材１３ｂの上面に当接して固定するための固定部材である。そして、図４および図５に示すように、固定片２６には、外枠１３の外枠下枠部材１３ｂの上面に設けられた外枠側固定穴（図示外）に各々固定するための固定穴２６ａ，２６ｂ，２６ｃおよび２６ｄが、等間隔を空けて各々設けられている。これらの固定穴２６ａ〜２６ｄは、外枠１３の外枠下枠部材１３ｂの上面に設けられた４つの外枠側固定穴（図示外）に各々対向する位置に設けられている。そして、図３に示すように、固定片２６の固定穴２６ａ〜２６ｄを、外枠１３の外枠下枠部材１３ｂの上面に設けられた４つの外枠側固定穴（図示外）に各々位置させる。次いで、固定ネジ２７ａ，２７ｂ，２７ｃおよび２７ｄを、図４に示す固定穴２６ａ，２６ｂ，２６ｃおよび２６ｄに各々固定することにより、内枠滑り板２５が、外枠下枠部材１３ｂの上面に固定される。また、固定穴は固定片２６に複数設けられているので、内枠滑り板２５を、外枠１３の外枠下枠部材１３ｂの上面に強固に固定することができる。なお、図４に示す固定片２６が、「固定板」に相当し、固定穴２６ａ〜２６ｄが、「固定穴」に相当する。
【００３１】
次に、切り欠き部４０，４１について説明する。図４および図５に示すように、上記形状を呈する固定片２６の長手方向の両端部のうち、固定片左側端部２５ａの角部には、カギ状に形成された切り欠き部４０が設けられている。この切り欠き部４０は、固定片２６の固定片左側端部２５ａが、外枠１３の外枠左枠部材１３ｃの長手方向下端部近傍に設けられた下ヒンジ４６（図３参照）に接触しないように設けられている。一方、固定片２６の長手方向の両端部のうち、固定片右側端部２５ｂの角部にも、カギ状に形成された切り欠き部４１が設けられている。この切り欠き部４１は、外枠１３の外枠右枠部材１３ｄ（図３参照）に接触しないように設けられている。したがって、外枠下枠部材１３ｂの上面の長手方向の両端部近傍まで、固定片２６を当接して固定しても、固定片左側端部２５ａおよび固定片右側端部２５ｂが、外枠左枠部材１３ｃおよび外枠右枠部材１３ｄに接触するのを避けることができる。また、固定片２６を外枠下枠部材１３ｂの上面の長手方向両端部近傍まで、当接して固定することができるので、内枠下端部１４ｂの下面を下方から支持する後述する第１傾斜部３４および第２傾斜部３５を、内枠下端部１４ｂの長手方向両端部近傍の下面近傍に設けることができる。そして、内枠下端部１４ｂの下面を下方から安定して上方にせり上げることができる。
【００３２】
次に、第１傾斜部３４および第２傾斜部３５について、図３乃至図６を参照して説明する。図４および図５に示すように、第１傾斜部３４および第２傾斜部３５は、固定片２６の長手方向の両端部近傍の上面に各々設けられている。詳細には、図３に示すように、第１傾斜部３４は、外枠下枠部材１３ｂに固定された固定片２６上面の、内枠１４の内枠左側端部１４ａ近傍に設けられている。一方、第２傾斜部３５は、固定片２６上面の、第１傾斜部３４が設けられた側の一端部とは反対の他端部側近傍に設けられている。したがって、第１傾斜部３４および第２傾斜部３５は、互いに離れた位置に各々設けられている。そして、第１傾斜部３４および第２傾斜部３５は、図４および図６に示すように、内枠滑り板２５の長手方向に垂直、かつ遊技者側の一端部から他端部に向かって、斜め上方に傾斜する傾斜面を各々有している。
【００３３】
さらに、上述したように、内枠滑り板２５は、摺動性を有する合成樹脂で一体成形されているので、第１傾斜部３４および第２傾斜部３５の各傾斜面は、滑りやすくなっている。したがって、内枠１４が外枠１３の前面側に向かって閉じられる際に、図３に示すように、内枠１４の内枠下端部１４ｂの下面は、第１傾斜部３４および第２傾斜部３５上を滑らかに摺動する。そして、内枠下端部１４ｂの下面は、内枠滑り板２５の後述する第１平坦部３７および第２平坦部３８上に、スムーズに乗り上げることができる。なお、固定片２６の各所定位置に各々設けられた第１傾斜部３４および第２傾斜部３５の効果については、後述する。
【００３４】
次に、第１平坦部３７，第２平坦部３８について説明する。第１平坦部３７および第２平坦部３８は、第１傾斜部３４および第２傾斜部３５によって、下方からせり上げられた内枠下端部１４ｂの下面を、平坦な面に乗り上げさせて安定させるための部材である。図４乃至図６に示すように、第１平坦部３７は、第１傾斜部３４の、一端部から他端部に向かって斜め上方に傾斜する方向の第１傾斜部３４の他端部に連接し、平面視略長方形状の平坦面を形成している。一方、第２平坦部３８も同様に、第２傾斜部３５の、一端部から他端部に向かって斜め上方に傾斜する方向の第２傾斜部３５の他端部に連接し、平面視略長方形状の平坦面を形成している。なお、図５および図６に示すように第１平坦部３７および第２平坦部３８の各平坦面の高さは、第１傾斜部３４および第２傾斜部３５の、一端部から他端部に向かって斜め上方に傾斜する各傾斜部の他端部の位置する高さと同じ高さとなっている。したがって、第１傾斜部３４および第２傾斜部３５上を摺動する内枠下端部１４ｂの下面は、第１傾斜部３４および第２傾斜部３５上を摺動後は、第１平坦部３７および第２平坦部３８の各平坦面上に乗り上げることにより、内枠１４がスムーズに閉じられるようになっている。
【００３５】
次に、不正具返し部３０について説明する。図４および図６に示すように、不正具返し部３０は、第１返し部２８と第２返し部２９とによって構成され、長手方向に直交する断面が、カギ型形状（図６参照）になっている。この第１返し部２８は、固定片２６の長手方向に直交する方向の両端部のうち、遊技者に対向する側の一端部とは反対の他端部から上方に立設されている。また、第２返し部２９は、第１返し部２８の長手方向に直交する方向の両端部のうち、固定片２６から離れる側の一端部から、固定片２６側に向かって略直角に立設されている。これらの第１返し部２８および第２返し部２９によって構成される不正具返し部３０は、外枠下枠部材１３ｂと内枠下端部１４ｂとにできる隙間から不正具が侵入されるのを遮断して防止する。例えば、使用者が、不正目的で外枠下枠部材１３ｂの上面と内枠下端部１４ｂの下面とにできる隙間からピアノ線などを不正に侵入させた場合、ピアノ線の先端部は、まず第１返し部２８によって、その侵入方向を上方に変更させられる。そして、そのピアノ線の先端部は、第２返し部２９によって、さらにピアノ線の侵入方向とは反対方向に折り返され、不正使用者側に返される。したがって、ピアノ線などの不正具は、第１返し部２８および第２返し部２９によって、その侵入を阻まれるため、機器内部に侵入できなくなり、パチンコ機１の不正使用を防止することができる。
【００３６】
次に、位置決め片部３２について説明する。この位置決め片部３２は、図４および図６に示すように、固定片２６の、不正具返し部３０が設けられた一端部とは反対の他端部より、略垂直下方に向かってフランジ状に突設されている。そして、図３に示すように、この位置決め片部３２を備えた固定片２６を、外枠１３の外枠下枠部材１３ｂの上面に当接させ、位置決め片部３２を、外枠下枠部材１３ｂの長手方向に平行、かつ遊技者側に対向する地面から離れる側の稜線のうち、遊技者に対向する側の稜線に係止させる。そして、位置決め片部３２を、外枠１３の外枠下枠部材１３ｂの稜線に係止させることにより、固定片２６の位置決めが自動的になされる。さらに、内枠滑り板２５を長期間使用した場合でも、図３に示すように、位置決め片部３２が外枠下枠部材１３ｂの稜線に係止されているので、内枠１４が閉じられる際に、内枠滑り板２５に内枠１４の内枠下端部１４ｂが勢いよく衝突しても、内枠滑り板２５が外枠１３からズレたりすることがない。さらに、位置決め片部３２により、内枠滑り板２５の位置決めが自動的になされるので、内枠滑り板２５の固定位置を測ったりするなどの手間を省くことができる。なお、図４の内枠滑り板２５の斜視図に示す位置決め片部３２が、「フランジ部」に相当する。
【００３７】
次に、補強部４３について説明する。図４に示すように、内枠滑り板２５において、不正具返し部３０の内側の、第１返し部２８の面には、凸状の補強部４３が、内枠滑り板２５の長手方向の一端部から他端部に向かう方向に沿って、等間隔を空けて複数設けられている。これら複数の補強部４３は、第１返し部２８および第２返し部２９の補強部材である。したがって、不正具返し部３０にある程度の衝撃が加えられても、第１返し部２８の内側面の各位置に補強部４３による厚みを所々に設けることにより、不正具返し部３０の強度を高めることができる。さらに、補強部４３は、内枠滑り板２５の一構成部材として一体成形されているため、不正具返し部３０の強度が高まり、不正具返し部３０の破損を防止することができる。
【００３８】
次に、内枠滑り板２５が組み付けられた状態での、内枠１４の開閉時の動作状態について、図２および図３を参照して説明する。まず、図２に示すように、内枠１４の裏面側には、各種装置および各種制御基板などが数多く取り付けられているので、内枠１４は非常に重くなっている。したがって、内枠１４は、内枠１４の軸支される内枠左側端部１４ａから内枠右側端部１４ｃ方向に向かって、やや垂れ下がった状態（片下がり状態）になる。そこで、図３に示すように、本実施形態のパチンコ機１では、内枠１４が外枠１３に向かって閉じられる際に、外枠下枠部材１３ｂの上面に固定された内枠滑り板２５の第１傾斜部３４および第２傾斜部３５上を、内枠１４の内枠下端部１４ｂの下面が摺動する。そして、内枠滑り板２５の第１平坦部３７および第２平坦部３８の面に向かって、第１傾斜部３４および第２傾斜部３５の上面をせり上がる。
【００３９】
詳細には、まず、内枠１４の内枠下端部１４ｂの下面は、内枠滑り板の２５の第１傾斜部３４に接触する。これは、内枠１４が軸支される内枠左側端部１４ａは、内枠右側端部１４ｃよりも、開閉時の回転半径が小さいため、内枠下端部１４ｂの、内枠左側端部１４ａよりの下面の方が先に第１傾斜部３４に接触する。そして、第１傾斜部３４に接触した内枠１４の内枠下端部１４ｂの下面は、第１傾斜部３４上に徐々にせり上がる。さらに、第１傾斜部３４の傾斜面に僅かにせり上がった内枠下端部１４ｂの下面はやや上方に持ち上げられ、次いで、第２傾斜部３５の傾斜面上に乗り上げる。したがって、内枠１４の内枠下端部１４ｂの下面は、まず、第１の傾斜部３４で一旦上方に持ち上げられてから、第２傾斜部３５の傾斜面にのせられるため、内枠１４の片下がり度合いが大きくても、内枠１４を外枠１３に対して常時スムーズに開じることができる。
【００４０】
また、図２および図３に示すように、外枠１３の前面側に閉じられた内枠１４を開放する場合には、内枠滑り板２５の第２平坦部３８上に位置する内枠１４の内枠下端部１４ｂの下面は、まず第２平坦部３８から第２傾斜部３５の傾斜面を徐々に摺動する。次いで、第１平坦部３７上に位置する内枠下端部１４ｂの軸支部分近傍の下面が、第１平坦部３７から第１傾斜部３４の傾斜面を徐々に摺動し、内枠下端部１４ｂが内枠滑り板２５から離れることにより、内枠１４が外枠１３より開放された状態となる。このように、内枠１４の片下がり度合いが大きくても、内枠１４の内枠下端部１４ｂの下面は、第２傾斜部３５，第１傾斜部３４の傾斜面を順に滑り落る。したがって、内枠１４の軸支される部分には、徐々に内枠１４の重みが加えられるため、内枠１４の軸支される部分に負担がかからず、スムーズに開放動作を行うことができる。
【００４１】
以上、説明したように、本発明の一実施の形態であるパチンコ機１によれば、内枠１４に搭載された各種装置および各種基板などの重みにより、内枠１４に片下がりが生じても、外枠１３の外枠下枠部材１３ｂの上面に固定された内枠滑り板２５によって、内枠１４を常時スムーズに開閉できる。詳細には、内枠１４を閉じる際に、垂れ下がった内枠１４の内枠下端部１４ｂの下面は、内枠滑り板２５の第１傾斜部３４および第２傾斜部３５の順に徐々に上方にせり上がり、内枠下端部１４ｂの第１平坦部３７および第２平坦部３８の平坦面に誘導される。したがって、内枠１４を常時スムーズに開閉できる。さらに、内枠滑り板２５において、固定片２６の一端部には、長手方向に直交する断面がカギ型形状を有する不正具返し部３０が設けられているので、内枠１４の内枠下端部１４ｂの下面と、外枠下枠部材１３ｂの上面との間にできる隙間から、ピアノ線などの不正具が侵入しても、それを阻止することができる。
【００４２】
なお、本発明は、以上詳述した実施の形態に限定されるものではなく、種々の変更が可能である。まず、本実施の形態では遊技機として、遊技機の一種であるパチンコ機を例に挙げているが、遊技機はパチンコ機に限られず、パチコン機などの各種の遊技機に適用可能である。
【００４３】
例えば、本実施の形態のパチンコ機１の内枠滑り板２５は、合成樹脂により一体成形されているが、各々別の部材として互いに接合して構成してもよい。また、内枠滑り板２５の材質は、上述に限られないが、摺動性および硬度の高い性質を有する合成樹脂が好ましい。
【００４４】
また、内枠滑り板２５に設けられる固定穴の数は、複数であればよい。さらに、内枠滑り板２５に設けられる傾斜部および平坦部の数は、本実施形態に限られず、複数設ければよい。
【００４５】
さらに、内枠滑り板２５の傾斜部は、本実施形態のパチンコ機１では、固定片２６の長手方向の両端部近傍の上面において、第１傾斜部３４および第２傾斜部３５を各々設けたが、固定片２６の上面の全面にかけて、長手方向に直交する方向の一端部から他端部に向かって傾斜する傾斜面を設けてもよい。
【産業上の利用可能性】
【００４６】
本発明の遊技機は、パチンコ機に限られず、パチコン機、スロットなどの各種遊技機にも適用可能である。
【図面の簡単な説明】
【００４７】
【図１】本発明の一実施の形態であるパチンコ機１の正面図である。
【図２】内枠１４と、ガラス枠２２とを外枠１３より開放した状態を示すパチンコ機１の斜視図である。
【図３】外枠下枠部材１３ｂの上面に、内枠滑り板２５が当接して固定された状態を示す外枠１３の外枠下枠部材１３ｂ近傍の斜視図である。
【図４】内枠滑り板２５の斜視図である。
【図５】内枠滑り板２５の平面図である。
【図６】図５に示すＡ−Ａ’線における内枠滑り板２５の断面図である。
【符号の説明】
【００４８】
１      パチンコ機
２      遊技盤
１３    外枠
１３ａ  外枠上枠部材
１３ｂ  外枠下枠部材
１３ｃ  外枠左枠部材
１３ｄ  外枠右枠部材
１４    内枠
２５    内枠滑り板
２６    固定片
２６ａ，２６ｂ，２６ｃ，２６ｄ  固定穴
２８    第１返し部
２９    第２返し部
３０    不正具返し部
３２    位置決め片部
３４    第１傾斜部
３５    第２傾斜部
３７    第１平坦部
３８    第２平坦部
４０，４１    切り欠き部
【図１】
2005131191.tif 000003
【図２】
2005131191.tif 000004
【図３】
2005131191.tif 000005
【図４】
2005131191.tif 000006
【図５】
2005131191.tif 000007
【図６】
2005131191.tif 000008